(57)【要約】【課題】  さらなる高画質の実現をもたらすコンテンツ再生装置、コンテンツ処理システム及びコンテンツ処理方法を提供する。【解決手段】  コンテンツを再生する再生処理部と、前記コンテンツのタイトル内容及びシーンに対応するように予め定めたパラメータ情報をネットワークを介してサーバより取得するパラメータ取得部と、前記パラメータ取得部により取得された前記パラメータ情報に基づいて、前記再生処理部により再生される前記コンテンツの映像出力の補間設定を行うパラメータ保存部と、前記パラメータ保存部による前記補間設定を入力して映像出力を行う補間フレーム映像生成部と、を具備することを特徴とするコンテンツ再生装置。【選択図】      図５
2009130499.tif 000002
【特許請求の範囲】
【請求項１】
コンテンツを再生する再生処理部と、
前記コンテンツのタイトル内容及びシーンに対応するように予め定めたパラメータ情報をネットワークを介してサーバより取得するパラメータ取得部と、
前記パラメータ取得部により取得された前記パラメータ情報に基づいて、前記再生処理部により再生される前記コンテンツの映像出力の補間設定を行うパラメータ保存部と、
前記パラメータ保存部による前記補間設定を入力して映像出力を行う補間フレーム映像生成部と、
を具備することを特徴とするコンテンツ再生装置。
【請求項２】
前記クライアント側の装置である当該コンテンツ再生装置は、パラメータ情報とその更新情報とを対応付けて前記パラメータ保存部に記憶することを特徴とする請求項１記載のコンテンツ再生装置。
【請求項３】
前記パラメータ情報は、同一のコンテンツの再生時間全体を細分化したシーン単位で、情報の内容が保存されていることを特徴とする請求項１又は２記載のコンテンツ再生装置。
【請求項４】
前記補間設定の入力手段はＬＡＮにより構成されることを特徴とする請求項１ないし３のいずれか１項に記載のコンテンツ再生装置。
【請求項５】
前記補間設定の入力手段はＨＤＭＩ規格のＣＥＣにより構成されることを特徴とする請求項１ないし３のいずれか１項に記載のコンテンツ再生装置。
【請求項６】
前記パラメータ情報には、コンテンツの解像度またはフレーム数または映像シーンにおけるフレーム間の映像の移動量・方向に応じた画質調整を可能とする設定項目の情報が含まれていることを特徴とする請求項１ないし５のいずれか１項に記載のコンテンツ再生装置。
【請求項７】
ネットワークを介して互いに接続されたコンテンツ再生装置とサーバとを備えるコンテンツ処理システムであって、
前記サーバが、
コンテンツのタイトル内容及びシーンに対応するように予め定めたパラメータ情報を記憶するパラメータ記憶部と、
前記パラメータ記憶部に記憶された前記パラメータ情報を前記ネットワークを介して送信する送信部と、を備え、
前記コンテンツ再生装置が、
前記送信部により送信される前記パラメータ情報を前記ネットワークを介して取得するパラメータ取得部と、
前記コンテンツを再生する再生処理部と、
前記パラメータ取得部により取得された前記パラメータ情報に基づいて、前記再生処理部により再生される前記コンテンツの映像出力の補間設定を行うパラメータ保存部と、
を具備することを特徴とするコンテンツ処理システム。
【請求項８】
ネットワークを介して互いに接続されたコンテンツ再生装置とサーバとによるコンテンツ処理方法であって、
コンテンツのタイトル内容及びシーンに対応するように予め定めたパラメータ情報を前記サーバが前記ネットワークを介して送信するステップと、
前記サーバより送信された前記パラメータ情報を前記コンテンツ再生装置が前記ネットワークを介して取得するステップと、
前記コンテンツを前記コンテンツ再生装置が再生するステップと、
前記パラメータ取得部により取得された前記パラメータ情報に基づいて、前記コンテンツ再生装置が、前記再生されるコンテンツの映像出力の補間設定を行うステップと、
を有することを特徴とするコンテンツ処理方法。
【発明の詳細な説明】
【技術分野】
【０００１】
本発明は、例えば媒体として供給されるコンテンツを処理するコンテンツ再生装置、コンテンツ処理システム及びコンテンツ処理方法に関する。
【背景技術】
【０００２】
近年、高画質・高機能を有するＤＶＤビデオ・ディスク及びそのディスクを再生するビデオ・プレーヤの普及が進み、そのマルチチャネル・オーディオを再生する周辺機器等も選択の幅が広がってきている。そしてホームシアターが身近に実現でき、高画質・高音質の映画等を家庭で自在に視聴し得る環境が整えられつつある。
【０００３】
ここ数年、画像圧縮技術や補間技術の向上に伴って、ユーザ及びコンテンツ供給者の両者からさらなる高画質の実現を望む声が挙がっている。
なお上記高画質の実現以外では、タイトル本編も含めメニュー画面や特典映像等のコンテンツにおいて、より色彩に富んだメニューやインタラクティブ性の向上等、コンテンツ内容の拡充によるユーザへのより魅力的なコンテンツの提供環境がコンテンツ供給者から望まれ、対応する技術も提案されている。
【０００４】
例えば特許文献１に記載されている技術の目的は、ＭＰＥＧの規格に準じたいずれのビデオ圧縮モードであっても特殊再生を可能とする光ディスク、この光ディスクを再生する方法並びに再生装置及び光ディスクに映像データを記録する記録装置並びにその記録方法を提供するとある。
【０００５】
方法としてデータ記録領域は、オブジェクトを管理する為の管理領域を含み、この管理領域には、ビデオパック内のビデオデータの符号化モードが記述され、結果ＭＰＥＧの規格に準じたいずれのビデオ圧縮モードであっても特殊再生を可能とすることができるというものである。
【特許文献１】特開２００６−２１１２７４号公報
【発明の開示】
【発明が解決しようとする課題】
【０００６】
本発明は先に述べた上記高画質の実現の点で、さらなる高画質の実現をもたらすコンテンツ再生装置、コンテンツ処理システム及びコンテンツ処理方法を提供することを目的とする。
【課題を解決するための手段】
【０００７】
上記課題を解決するために、本発明の請求項１のコンテンツ再生装置は、前記コンテンツのタイトル内容及びシーンに対応するように予め定めたパラメータ情報をネットワークを介してサーバより取得するパラメータ取得部と、前記パラメータ取得部により取得された前記パラメータ情報に基づいて、前記再生処理部により再生される前記コンテンツの映像出力の補間設定を行うパラメータ保存部と、前記パラメータ保存部による前記補間設定を入力して映像出力を行う補間フレーム映像生成部と、を具備することを特徴とする。
【発明の効果】
【０００８】
本発明によれば、さらなる高画質の実現をもたらすコンテンツ再生装置、コンテンツ処理システム及びコンテンツ処理方法が得られる。
【発明を実施するための最良の形態】
【０００９】
以下、本発明の実施形態を説明する。
【実施例１】
【００１０】
本発明による実施形態１を図１乃至図５を参照して説明する。
図１は、本発明の第１の実施形態に係るコンテンツ処理システムの構成を概略的に示す図であり、図２は、このコンテンツ処理システムが備えるデジタルＴＶ（テレビジョン）７システムの構成を示す機能ブロック図である。また、図３は、図１のコンテンツ処理システムが備えるパラメータ配信サーバ３の構成を示す機能ブロック図であり、さらに、図４は、図３のパラメータ配信サーバ３により配信されるパラメータ情報１６の内容を示す図である。
【００１１】
さて図１は、この発明の一実施形態を示すシステム構成の概略図を示している。補間フレーム映像生成回路１３を有するテレビ１と、 HD DVD/DVD 再生装置２、HD DVD/DVD の各ディスクのシーン毎の補間フレーム映像生成回路用パラメータを配信するパラメータ配信サーバ４から構成される。
【００１２】
再生装置２と配信サーバ４はインターネット３を経由してパラメータの送受信を行う。再生装置２とインターネット３は図のようにルータ５を経由して接続されていてもよい。また再生装置２はアンテナ６を通して放送を受信し録画できるように構成されていてもよい。
【００１３】
図１ではテレビ１と再生装置２とをＨＤＭＩ（登録商標）規格のＣＥＣ（Consumer Electronics Control）を利用して組み合わせた構成としている。
【００１４】
図２は本実施形態のシステムを構成するテレビ１とHD DVD/DVD再生装置２の機能ブロック図である。
図２に示すように、テレビ１は、例えば再生専用のテレビジョン装置であって、映像復号部１１、映像データ処理部１２、補間フレーム映像生成回路１３、表示パネル１４を備える。また再生装置２は、例えばＨＤＤ・ＤＶＤレコーダであって、ディスクドライブ２１、コントローラ２２、パラメータ取得部であるネットワーク接続部２３、再生処理部２４、パラメータ保存部を備える。
【００１５】
映像復号部１１は、再生処理部２４からのストリーム形式の映像データを復号し映像データ処理部１２へ出力する。映像データ処理部１２は、この復号された映像データを例えば６０Ｈｚのフレーム映像に変換して補間フレーム映像生成回路１３へ出力する。補間フレーム映像生成回路１３は、補間フレームを生成し例えば１２０Ｈｚのフレーム映像として表示パネル１４へ出力する。
【００１６】
再生装置２側は、例えばＨＤＤ・ＤＶＤレコーダであって、ディスクドライブ２１は、HD DVD/DVDに載せられているコンテンツをまず映像信号として取り出し内部バスに乗せる。コントローラ２２は、再生装置２全体を制御する。ネットワーク接続部２３は、インターネット３を介してパラメータ配信サーバ４と情報のやり取りを行う。再生処理部２４は、バス上の映像信号から映像データを取り出し映像復号部１１へと出力する。他方パラメータ保存部は、ネットワーク接続部２３経由で入手したパラメータを保存しまた予め保存されているパラメータを補間フレーム映像生成回路１３へ出力する。パラメータの或るものは再生装置２の製造時に仮保存されていてもよい。
【００１７】
図１のＨＤＭＩ８において、上記映像データや音声データはデータそのものとして再生装置２からテレビ１へと送出され、上記パラメータはＣＥＣを利用して送出される構成となっている。
【００１８】
図３は本実施形態のシステムのパラメータ配信サーバ４の機能ブロック図である。パラメータ配信サーバ４は、図３に示すように、再生装置２との間での情報のやり取りの際の通信制御を行う送受信部４１と、各種情報を記憶する記憶部４３と、各部を統括的に制御する制御部４２とから構成される。パラメータ配信サーバ４は、例えば、再生装置２の製造元の運営するサービスサイトなどである。パラメータ配信サーバ４の記憶部４３には、タイトル内容及びその各シーンに対応するように予め定めたパラメータ情報４４を記憶する。後に詳述するこのパラメータ情報４４は、補間フレーム映像生成回路の設定を行う構成部分に対する設定値が、各シーンごとに割り当てられたかたちで構成されている。また、制御部４２は、送受信部４１を介して再生装置２からのパラメータ情報４４の送信要求を受信した場合に、このパラメータ情報４４を再生装置２側に送信（配信）する。
【００１９】
図４に補間フレーム映像生成回路用パラメータ例を示す。パラメータ配信サーバ４からは、ディスク別に映像シーンに応じた補間フレーム映像生成回路用パラメータが配信される。図４のＡ，Ｂ，Ｃ等が映像シーンに相当するものである。例えば映像シーンとしてほぼ静止した背景の中で車が走る映像があるとする。車の速さや方向が余り変わらずに背景中を動いて行けば一つのシーンとして扱うことができる。また反対に例えば列車を追跡する映像があり背景の変化が単調であればやはり一つのシーンとして扱うことができる。
【００２０】
補間フレーム映像生成回路用パラメータとしては以下のようなものが挙げられる。
-解像度 : SD映像 or HD映像
-フレーム数 : 30 (ビデオ) or 24(フィルム)
-フレーム間の映像の移動量/方向 (フレーム間の動きがどれぐらいあるか)
-画面の明るさ（暗部のダイナミックレンジの調整等）
図５に本提案のフローチャートを示す。再生装置２は HD DVD/DVDディスクドライブ２１内のディスクの検出時（ステップＳ５１）にディスクを識別する（ステップＳ５２）。識別したディスク用の補間フレーム映像生成回路用パラメータの情報をネットワーク接続部２３から配信サーバ４に問い合わせる（ステップＳ５３）。もしネットワークの障害等により配信サーバ４に問い合わせられない場合は、パラメータを用いない通常の再生処理を行うか、既に保存されているパラメータを用いて再生処理を行えばよい。
【００２１】
配信サーバ４は記憶部４３の中のパラメータ情報４４に問い合わせのあったディスクのパラメータの有無を返信する（ステップＳ５４）。パラメータ情報４４としては例えばディスク（タイトル）ＩＤとパラメータとその更新日又はレビジョンが組となったリストがある。再生装置２はディスク用のパラメータが配信サーバ４に存在しない場合にはパラメータを用いない通常の再生処理を行う。
【００２２】
ディスク用パラメータがパラメータ保存部２５に存在する場合はそのパラメータを使用する。未取得もしくは更新が行われていた場合には（ステップＳ５５のＹＥＳ）配信サーバ４からパラメータを受信しパラメータ保存部２５に保存する（ステップＳ５６）。
【００２３】
ディスクの再生時（ステップＳ５７）は HDMI の CEC (Consumer Electronics Control) などを使用して、再生装置２からテレビ１内の補間フレーム映像生成回路１３にパラメータを提供する（ステップＳ５８）。補間フレーム映像生成回路１３は再生装置２から提供されたパラメータを用いて、再生シーンに最適な補間フレーム映像を生成し表示パネル１４に表示する。この処理を再生が終了する（ステップＳ５９）まで繰り返し行う。
【実施例２】
【００２４】
本発明による実施形態２を図２乃至図６を参照して説明する。実施形態１と共通する部分は説明を省略する。
図６は、本発明の第２の実施形態に係るコンテンツ処理システムの構成を概略的に示す図である。このコンテンツ処理システムが備えるデジタルＴＶ６７システムの構成は実施形態１と比べＬＡＮ９で接続されたテレビ６１と再生装置６２から成っている。図６のＨＤＭＩ８において図１と同様に映像データや音声データはデータそのものとして再生装置６２からテレビ６１へと送出され、パラメータはＬＡＮ９を利用して送出される構成となっている。ＬＡＮ９は無線によってもよい。
【００２５】
実施形態１と比べてデジタルＴＶシステム内のＩ／Ｆが増えるが、ＨＤＭＩの帯域を意識せずにＬＡＮ９を用いてパラメータ制御を行うことができる。
ここで補足としてＤＶＤビデオ規格におけるビデオタイトルセット識別子の所在について説明する。
光ディスクのリードインエリア２７からリードアウトエリア２６までのデータ記録領域は、図７に示されるようなボリューム及びファイル構造を有している。この構造は、論理フォーマットとして特定の規格、例えば、マイクロＵＤＦ（micro UDF ）及びＩＳＯ９６６０に準拠されて定められている。データ記録領域は、物理的に複数のセクタに分割され、その物理的セクタには、連続番号が付されている。下記の説明で論理アドレスは、マイクロＵＤＦ（micro UDF ）及びＩＳＯ９６６０で定められるように論理セクタ番号（ＬＳＮ）を意味し、論理セクタは、物理セクタのサイズと同様に２０４８バイトであり、論理セクタの番号（ＬＳＮ）は、物理セクタ番号の昇順とともに連続番号が付加されている。
【００２６】
図７に示されるようにこのボリューム及びファイル構造は、階層構造を有し、ボリューム及びファイル構造領域  ７０、ビデオマネージャー  ７１、少なくとも１以上のビデオタイトルセット７２及び他の記録領域７３を有している。これら領域は、論理セクタの境界上で区分されている。ここで、従来のＣＤと同様に１論理セクタは、２０４８バイトと定義されている。同様に、１論理ブロックも２０４８バイトと定義され、従って、１論理セクタは、１論理ブロックと定義される。
【００２７】
ファイル構造領域７０は、マイクロＵＤＦ及びＩＳＯ９６６０に定められる管理領域に相当し、この領域の記述を介してビデオマネージャー７１がシステムＲＯＭ／ＲＡＭ部５２に格納される。ビデオマネージャー７１には、ビデオタイトルセットを管理する情報が記述され、ファイル＃０から始まる複数のファイル７４から構成されている。また、各ビデオタイトルセット７２には、圧縮されたビデオデータ、オーディオデータ及び副映像データ及びこれらの再生情報が格納され、同様に複数のファイル７４から構成されている。ここで、複数のビデオタイトルセット７２は、最大９９個に制限され、また、各ビデオタイトルセット７２を構成するファイル７４（File #j から File #j+9）の数は、最大１０個  に定められている。これらファイルも同様に論理セクタの境界で区分されている。他の記録領域７３には、上述したビデオタイトルセット７２を利用可能な情報が記録されている。この他の記録領域７３は、必ずしも設けられなくとも良い。
【００２８】
次に、図７に示されたビデオタイトルセット（ＶＴＳ）７２の論理フォーマットの構造について図８を参照して説明する。各ビデオタイトルセット（ＶＴＳ）７２には、図８に示すようにその記載順に４つの項目９４、９５、９６、９７が記載されている。また、各ビデオタイトルセット（ＶＴＳ）７２は、共通の属性を有する１又はそれ以上のビデオタイトルから構成され、このビデオタイトル７２についての管理情報、例えば、エントリーサーチポイントの為の情報、ビデオオブジェクトセット９６を再生する為の情報、タイトルセットメニュー（ＶＴＳＭ）を再生する為の情報及びビデオオブジェクトセット７２の属性情報がビデオタイトルセット情報（ＶＴＳＩ）に記載されている。
【００２９】
このビデオタイトルセット情報（ＶＴＳＩ）９４のバックアップがビデオタイトルセット（ＶＴＳ）７２に設けられている。ビデオタイトルセット情報（ＶＴＳＩ）９４とこの情報のバックアップ（ＶＴＳＩ＿ＢＵＰ）９７との間には、ビデオタイトルセットメニュー用のビデオオブジェクトセット（ＶＴＳＭ＿ＶＯＢＳ）９５及びビデオタイトルセットタイトル用のビデオオブジェクトセット（ＶＴＳＴＴ＿ＶＯＢＳ）９６が配置されている。
【００３０】
ビデオタイトルセット情報（ＶＴＳＩ）９４、この情報のバックアップ（ＶＴＳＩ＿ＢＵＰ）９７及びビデオタイトルセットタイトル用のビデオオブジェクトセット（ＶＴＳＴＴ＿ＶＯＢＳ）９６は、ビデオタイトルセット７２にとって必須の項目とされ、ビデオタイトルセットメニュー用のビデオオブジェクトセット（ＶＴＳＭ＿ＶＯＢＳ）９５は、必要に応じて設けられるオプションとされている。
【００３１】
ビデオタイトルセット情報（ＶＴＳＩ）９４は、図８に示すように４つのテーブル９８、９９、１００、１０１から構成され、４つのテーブル９８、９９、１００、１０１は、論理セクタ間の境界に一致されている。第１のテーブルであるビデオタイトルセット情報管理テーブル（ＶＴＳＩ＿ＭＡＴ）９８は、必須のテーブルであってビデオタイトルセット（ＶＴＳ）７２のサイズ、ビデオタイトルセット（ＶＴＳ）７２中の各情報の開始アドレス及びビデオタイトルセット（ＶＴＳ）７２中のビデオオブジェクトセット（ＶＯＢＳ）８２の属性が記述されている。
【００３２】
第２のテーブルであるビデオタイトルセットダイレクトアクセスポインタテーブル（ＶＴＳ＿ＤＡＰＴ）９９は、必要に応じて設けられるオプションのテーブルであって、装置のキー操作／表示部４からのタイトル番号の入力に応じて選定可能な当該ビデオタイトルセット７２中に含まれるプログラムチェーン（ＰＧＣ）及び又はプログラム（ＰＧ）が記載されている。
【００３３】
第３のテーブルであるビデオタイトルセットプログラムチェーン情報テーブル（ＶＴＳ＿ＰＧＣＩＴ）１００は、必須のテーブルであってＶＴＳプログラムチェーン情報（ＶＴＳ＿ＰＧＣＩ）を記述している。第４のテーブルであるビデオタイトルセットタイムサーチマップテーブル（ＶＴＳ＿ＭＡＰＴ）１０１は、必要に応じて設けられるオプションのテーブルであって表示の一定時間に対するこのマップテーブル（ＶＴＳ＿ＭＡＰＴ）１０１が属するタイトルセット７２の各プログラムチェーン（ＰＧＣ）内のビデオデータの記録位置に関する情報が記述されている。
【００３４】
次に、図８に示したビデオタイトル情報マネージャーテーブル（ＶＴＳＩ＿ＭＡＴ）９８について図９を参照して説明する。
図９は、ビデオタイトル情報マネージャーテーブル（ＶＴＳＩ＿ＭＡＴ）９８の記述内容を示している。このテーブル（ＶＴＩＳ＿ＭＡＴ）９８には、記載順にビデオタイトルセット識別子  （ＶＴＳ＿ＩＤ）、ビデオタイトルセット７２のサイズ（ＶＴＳ＿ＳＺ）、このＤＶＤビデオ規格のバージョン番号（ＶＥＲＮ）、タイトルセット７２の属性（ＶＴＳ＿ＣＡＴ）が記載される。また、このテーブル（ＶＴＳＩ＿ＭＡＴ）９８には、ＶＴＳメニュー（ＶＴＳＭ）のビデオオブジェクトセット（ＶＴＳＭ＿ＶＯＢＳ）９５の開始アドレス（ＶＴＳＭ＿ＶＯＢＳ＿ＳＡ）がこのビデオタイトルセット（ＶＴＳ）７２の先頭論理ブロックからの相対論理ブロック（ＲＬＢＮ）で記述され、ビデオタイトルセット（ＶＴＳ）におけるタイトルの為のビデオオブジェクトのスタートアドレス（ＶＴＳＴＴ＿ＶＯＢ＿ＳＡ）が  このビデオタイトルセット（ＶＴＳ）７２の先頭論理ブロックからの相対論理ブロック（ＲＬＢＮ）で記述される。
【００３５】
現在の補間フレーム映像生成回路は一般に例えば、 FPGA/LSI の回路規模の制約と、毎秒 120 フレームのリアルタイム処理という時間的制約から、動きベクトルの検出範囲などの検出処理に制限を設けなければならない。また、出力される映像が破綻しないように補間フレーム映像生成回路のパラメータを調整する必要がある。このため補間フレーム映像生成回路のパラメータが再生しているシーンに常に最適であるとはいえず、補間フレーム映像生成回路の性能を最大限に引き出すことが出来ない。
【００３６】
上記実施形態の効果として、HD DVD / DVD のディスクのシーン毎に最適な補間フレーム映像生成回路用パラメータを配信サーバに用意し、再生時にそのパラメータを補間フレーム映像生成回路に提供することにより補間フレーム映像生成回路の性能が向上し、再生するシーンに最適な補間フレーム映像を生成することが可能となる。
【００３７】
なお、この発明は上記実施形態に限定されるものではなく、この外その要旨を逸脱しない範囲で種々変形して実施することができる。例えばデジタルＴＶシステムは一体化された機器として構成しても良い。
【００３８】
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３９】
【図１】この発明の第１の実施形態に係るコンテンツ処理システムを示す図。
【図２】図１のコンテンツ処理システムが備えるデジタルＴＶシステムの構成を示す機能ブロック図。
【図３】図１のコンテンツ処理システムが備えるパラメータ配信サーバを示す機能ブロック図。
【図４】図３のパラメータ配信サーバより配信されるパラメータ情報の内容を示す図。
【図５】図２のデジタルＴＶの動作を示すフローチャート。
【図６】この発明の第２の実施形態に係るコンテンツ処理システムを示す図。
【図７】光ディスクのリードインエリアからリードアウトエリアまでのデータ記録領域のボリューム及びファイル構造を示す図。
【図８】ビデオタイトルセット（ＶＴＳ）の論理フォーマットの構造を示す図。
【図９】ビデオタイトル情報マネージャーテーブル（ＶＴＳＩ＿ＭＡＴ）の記述内容を示す図。
【符号の説明】
【００４０】
１，６１…テレビ、２，６２…HD DVD/DVD 再生装置、３…インターネット、４…パラメータ配信サーバ、５…ルータ、６…アンテナ、７…デジタルＴＶ、８…ＨＤＭＩ、９…ＬＡＮ、１１…映像復号部、１２…映像データ処理部、１３…補間フレーム映像生成回路、１４…表示パネル、２１…ディスクドライブ、２２…コントローラ、２３…ネットワーク接続部、２４…再生処理部、２５…パラメータ保存部、４１…送受信部、４２…制御部、４３…記憶部、４４…パラメータ情報。
【図１】
2009130499.tif 000003
【図２】
2009130499.tif 000004
【図３】
2009130499.tif 000005
【図４】
2009130499.tif 000006
【図５】
2009130499.tif 000007
【図６】
2009130499.tif 000008
【図７】
2009130499.tif 000009
【図８】
2009130499.tif 000010
【図９】
2009130499.tif 000011